(57)【要約】【課題】低コストかつ高伝送レートでビデオメールの送受信を行う。【解決手段】ファイルサーバ４は、第１の携帯端末１により送信されたビデオメールの存在を通知する小容量の通知メールを、狭帯域の通信回線である携帯電話網により、第２の携帯端末７に送信する。第２の携帯端末７は、通知メールに応じてファイルサーバ４にアクセスし、広帯域の通信回線であるＷＬＡＮ網により、ファイルサーバ４からビデオメールをダウンロードする。本発明は、例えば、ビデオメールを、移動端末で受信する情報処理システムに適用できる。【選択図】      図１
2004357095.tif 000002
【特許請求の範囲】
【請求項１】
送信装置から送信されてくるデータを受信して処理する情報処理装置と、
前記情報処理装置からデータを受信する受信装置と
を備える情報処理システムにおいて、
前記情報処理装置は、
前記送信装置から送信されてくる、大容量のデータである大容量データと宛先とを含むデータを受信するデータ受信手段と、
前記大容量データの存在を通知する通知情報を、狭帯域の通信回線を介して、前記データの宛先となっている前記受信装置に送信する通知情報送信手段と、
前記受信装置からの要求に応じて、前記大容量データを、広帯域の通信回線を介して、前記要求のあった受信装置に送信する大容量データ送信手段と
を有し、
前記受信装置は、
自身宛の前記通知情報を、前記狭帯域の通信回線を介して受信する通知情報受信手段と、
前記通知情報に基づいて、前記大容量データを、前記情報処理装置に要求する要求手段と、
前記大容量データの要求に応じて前記情報処理装置から送信されてくる前記大容量データを、前記広帯域の通信回線を介して受信する大容量データ受信手段と
を有する
ことを特徴とする情報処理システム。
【請求項２】
送信装置から送信されてくるデータを受信して処理する情報処理装置と、
前記情報処理装置からデータを受信する受信装置と
を備える情報処理システムの情報処理方法において、
前記情報処理装置において、前記送信装置から送信されてくる、大容量のデータである大容量データと宛先とを含むデータを受信するデータ受信ステップと、
前記情報処理装置において、前記大容量データの存在を通知する通知情報を、狭帯域の通信回線を介して、前記データの宛先となっている前記受信装置に送信する通知情報送信ステップと、
前記受信装置において、自身宛の前記通知情報を、前記狭帯域の通信回線を介して受信する通知情報受信ステップと、
前記受信装置において、前記通知情報に基づいて、前記大容量データを、前記情報処理装置に要求する要求ステップと、
前記情報処理装置において、前記受信装置からの要求に応じて、前記大容量データを、広帯域の通信回線を介して、前記要求のあった受信装置に送信する大容量データ送信ステップと、
前記受信装置において、前記大容量データの要求に応じて前記情報処理装置から送信されてくる前記大容量データを、前記広帯域の通信回線を介して受信する大容量データ受信ステップと
を備えることを特徴とする情報処理方法。
【請求項３】
送信装置から送信されてくるデータを受信して処理する情報処理装置と、
前記情報処理装置からデータを受信する受信装置と
を備える情報処理システムの情報処理を、コンピュータに実行させるプログラムにおいて、
前記情報処理装置において、前記送信装置から送信されてくる、大容量のデータである大容量データと宛先とを含むデータを受信するデータ受信ステップと、
前記情報処理装置において、前記大容量データの存在を通知する通知情報を、狭帯域の通信回線を介して、前記データの宛先となっている前記受信装置に送信する通知情報送信ステップと、
前記受信装置において、自身宛の前記通知情報を、前記狭帯域の通信回線を介して受信する通知情報受信ステップと、
前記受信装置において、前記通知情報に基づいて、前記大容量データを、前記情報処理装置に要求する要求ステップと、
前記情報処理装置において、前記受信装置からの要求に応じて、前記大容量データを、広帯域の通信回線を介して、前記要求のあった受信装置に送信する大容量データ送信ステップと、
前記受信装置において、前記大容量データの要求に応じて前記情報処理装置から送信されてくる前記大容量データを、前記広帯域の通信回線を介して受信する大容量データ受信ステップと
を備えることを特徴とするプログラム。
【請求項４】
送信装置から送信されてくるデータを受信して処理する情報処理装置において、
前記送信装置から送信されてくる、大容量のデータである大容量データと宛先とを含むデータを受信するデータ受信手段と、
前記大容量データの存在を通知する通知情報を、狭帯域の通信回線を介して、前記データの宛先となっている受信装置に送信する通知情報送信手段と、
前記受信装置からの要求に応じて、前記大容量データを、広帯域の通信回線を介して、前記要求のあった受信装置に送信する大容量データ送信手段と
を備えることを特徴とする情報処理装置。
【請求項５】
前記大容量データにアクセスするためのアクセスキーを生成するアクセスキー生成手段を備え、
前記通知情報送信手段は、前記通知情報に前記アクセスキーを含めて送信し、
前記大容量データ送信手段は、前記受信装置から送信されてくる前記アクセスキーに対応する前記大容量データを送信する
ことを特徴とする請求項４に記載の情報処理装置。
【請求項６】
前記大容量データのフォーマットを、前記受信装置に対応するフォーマットに変換するフォーマット変換手段をさらに備え、
前記大容量データ送信手段は、フォーマットが変換された前記大容量データを送信する
ことを特徴とする請求項４に記載の情報処理装置。
【請求項７】
前記狭帯域の通信回線は、携帯電話網を含み、
前記広帯域の通信回線は、ＷＬＡＮ（Ｗｉｒｅｌｅｓｓ  Ｌｏｃａｌ  Ａｒｅａ  Ｎｅｔｗｏｒｋ）網を含む
ことを特徴とする請求項４に記載の情報処理装置。
【請求項８】
送信装置から送信されてくるデータを受信して処理する情報処理方法において、
前記送信装置から送信されてくる、大容量のデータである大容量データと宛先とを含むデータを受信するデータ受信ステップと、
前記大容量データの存在を通知する通知情報を、狭帯域の通信回線を介して、前記データの宛先となっている受信装置に送信する通知情報送信ステップと、
前記受信装置からの要求に応じて、前記大容量データを、広帯域の通信回線を介して、前記要求のあった受信装置に送信する大容量データ送信ステップと
を含むことを特徴とする情報処理方法。
【請求項９】
送信装置から送信されてくるデータを受信して処理する情報処理を、コンピュータに実行させるプラグラムにおいて、
前記送信装置から送信されてくる、大容量のデータである大容量データと宛先とを含むデータを受信するデータ受信ステップと、
前記大容量データの存在を通知する通知情報を、狭帯域の通信回線を介して、前記データの宛先となっている受信装置に送信する通知情報送信ステップと、
前記受信装置からの要求に応じて、前記大容量データを、広帯域の通信回線を介して、前記要求のあった受信装置に送信する大容量データ送信ステップと
を含むことを特徴とするプログラム。
【請求項１０】
送信装置から送信されてくるデータを受信して処理する情報処理装置からデータを受信する受信装置において、
前記送信装置が前記情報処理装置に送信した、前記受信装置宛の大容量のデータである大容量データの存在を通知する通知情報を、前記情報処理装置から狭帯域の通信回線を介して受信する通知情報受信手段と、
前記通知情報に基づいて、前記大容量データを、前記情報処理装置に要求する要求手段と、
前記大容量データの要求に応じて前記情報処理装置から送信されてくる前記大容量データを、広帯域の通信回線を介して受信する大容量データ受信手段と
を備える
ことを特徴とする受信装置。
【請求項１１】
前記通知情報受信手段は、前記大容量データにアクセスするためのアクセスキーを含む前記通知情報を受信し、
前記要求手段は、前記アクセスキーに基づいて、前記大容量データを、前記情報処理装置に要求する
ことを特徴とする請求項１０に記載の受信装置。
【請求項１２】
前記狭帯域の通信回線は、携帯電話網を含み、
前記広帯域の通信回線は、ＷＬＡＮ（Ｗｉｒｅｌｅｓｓ  Ｌｏｃａｌ  Ａｒｅａ  Ｎｅｔｗｏｒｋ）網を含む
ことを特徴とする請求項１０に記載の受信装置。
【請求項１３】
送信装置から送信されてくるデータを受信して処理する情報処理装置からデータを受信する受信方法において、
前記送信装置が前記情報処理装置に送信した、前記受信装置宛の大容量のデータである大容量データの存在を通知する通知情報を、前記情報処理装置から狭帯域の通信回線を介して受信する通知情報受信ステップと、
前記通知情報に基づいて、前記大容量データを、前記情報処理装置に要求する要求ステップと、
前記大容量データの要求に応じて前記情報処理装置から送信されてくる前記大容量データを、広帯域の通信回線を介して受信する大容量データ受信ステップと
を含むことを特徴とする受信方法。
【請求項１４】
送信装置から送信されてくるデータを受信して処理する情報処理装置からデータを受信する受信処理を、コンピュータに実行させるプログラムにおいて、
前記送信装置が前記情報処理装置に送信した、前記受信装置宛の大容量のデータである大容量データの存在を通知する通知情報を、前記情報処理装置から狭帯域の通信回線を介して受信する通知情報受信ステップと、
前記通知情報に基づいて、前記大容量データを、前記情報処理装置に要求する要求ステップと、
前記大容量データの要求に応じて前記情報処理装置から送信されてくる前記大容量データを、広帯域の通信回線を介して受信する大容量データ受信ステップとを含むことを特徴とするプログラム。
【請求項１５】
送信装置から送信されてくるデータを受信して処理する情報処理装置と、
前記情報処理装置からデータを受信する受信装置と
を備える情報処理システムにおいて、
前記情報処理装置は、
前記送信装置から送信されてくる、大容量のデータである大容量データを含むデータを受信するデータ受信手段と、
前記大容量データの存在を通知する通知情報を、狭帯域の通信回線を介して、前記受信装置に送信する通知情報送信手段と、
前記受信装置からの要求に応じて、前記大容量データを、広帯域の通信回線を介して、前記要求のあった受信装置に送信する大容量データ送信手段と
を有し、
前記受信装置は、
前記通知情報を、前記狭帯域の通信回線を介して受信する通知情報受信手段と、
前記通知情報に基づいて、前記大容量データを、前記情報処理装置に要求する要求手段と、
前記大容量データの要求に応じて前記情報処理装置から送信されてくる前記大容量データを、前記広帯域の通信回線を介して受信する大容量データ受信手段と
を有し、
前記狭帯域または広帯域の通信回線のうちの少なくとも一方は、無線回線である
ことを特徴とする情報処理システム。
【請求項１６】
送信装置から送信されてくるデータを受信して処理する情報処理装置と、
前記情報処理装置からデータを受信する受信装置と
を備える情報処理システムの情報処理方法において、
前記情報処理装置において、前記送信装置から送信されてくる、大容量のデータである大容量データを含むデータを受信するデータ受信ステップと、
前記情報処理装置において、前記大容量データの存在を通知する通知情報を、狭帯域の通信回線を介して、前記受信装置に送信する通知情報送信ステップと、
前記受信装置において、前記通知情報を、前記狭帯域の通信回線を介して受信する通知情報受信ステップと、
前記受信装置において、前記通知情報に基づいて、前記大容量データを、前記情報処理装置に要求する要求ステップと、
前記情報処理装置において、前記受信装置からの要求に応じて、前記大容量データを、広帯域の通信回線を介して，前記要求のあった受信装置に送信する大容量データ送信ステップと、
前記受信装置において、前記大容量データの要求に応じて前記情報処理装置から送信されてくる前記大容量データを、前記広帯域の通信回線を介して受信する大容量データ受信ステップと
を備え、
前記狭帯域または広帯域の通信回線のうちの少なくとも一方は、無線回線である
ことを特徴とする情報処理方法。
【請求項１７】
送信装置から送信されてくるデータを受信して処理する情報処理装置と、
前記情報処理装置からデータを受信する受信装置と
を備える情報処理システムの情報処理を、コンピュータに実行させるプログラムにおいて、
前記情報処理装置において、前記送信装置から送信されてくる、大容量のデータである大容量データを含むデータを受信するデータ受信ステップと、
前記情報処理装置において、前記大容量データの存在を通知する通知情報を、狭帯域の通信回線を介して、前記受信装置に送信する通知情報送信ステップと、
前記受信装置において、前記通知情報を、前記狭帯域の通信回線を介して受信する通知情報受信ステップと、
前記受信装置において、前記通知情報に基づいて、前記大容量データを、前記情報処理装置に要求する要求ステップと、
前記情報処理装置において、前記受信装置からの要求に応じて、前記大容量データを、広帯域の通信回線を介して，前記要求のあった受信装置に送信する大容量データ送信ステップと、
前記受信装置において、前記大容量データの要求に応じて前記情報処理装置から送信されてくる前記大容量データを、前記広帯域の通信回線を介して受信する大容量データ受信ステップと
を備え、
前記狭帯域または広帯域の通信回線のうちの少なくとも一方は、無線回線である
ことを特徴とするプログラム。
【請求項１８】
送信装置から送信されてくるデータを受信して処理する情報処理装置において、
前記送信装置から送信されてくる、大容量のデータである大容量データを含むデータを受信するデータ受信手段と、
前記大容量データの存在を通知する通知情報を、狭帯域の通信回線を介して、受信装置に送信する通知情報送信手段と、
前記受信装置からの要求に応じて、前記大容量データを、広帯域の通信回線を介して、前記要求のあった受信装置に送信する大容量データ送信手段と
を備え、
前記狭帯域または広帯域の通信回線のうちの少なくとも一方は、無線回線である
ことを特徴とする情報処理装置。
【請求項１９】
前記大容量データにアクセスするためのアクセスキーを生成するアクセスキー生成手段を備え、
前記通知情報送信手段は、前記通知情報に前記アクセスキーを含めて送信し、
前記大容量データ送信手段は、前記受信装置から送信されてくる前記アクセスキーに対応する前記大容量データを送信する
ことを特徴とする請求項１８に記載の情報処理装置。
【請求項２０】
前記大容量データのフォーマットを、前記受信装置に対応するフォーマットに変換するフォーマット変換手段をさらに備え、
前記大容量データ送信手段は、フォーマットが変換された前記大容量データを送信する
ことを特徴とする請求項１８に記載の情報処理装置。
【請求項２１】
前記狭帯域の通信回線は、携帯電話網を含み、
前記広帯域の通信回線は、ＷＬＡＮ（Ｗｉｒｅｌｅｓｓ  Ｌｏｃａｌ  Ａｒｅａ  Ｎｅｔｗｏｒｋ）網を含む
ことを特徴とする請求項１８に記載の情報処理装置。
【請求項２２】
送信装置から送信されてくるデータを受信して処理する情報処理方法において、
前記送信装置から送信されてくる、大容量のデータである大容量データを含むデータを受信するデータ受信ステップと、
前記大容量データの存在を通知する通知情報を、狭帯域の通信回線を介して、受信装置に送信する通知情報送信ステップと、
前記受信装置からの要求に応じて、前記大容量データを、広帯域の通信回線を介して、前記要求のあった受信装置に送信する大容量データ送信ステップと
を含み、
前記狭帯域または広帯域の通信回線のうちの少なくとも一方は、無線回線である
ことを特徴とする情報処理方法。
【請求項２３】
送信装置から送信されてくるデータを受信して処理する情報処理を、コンピュータに実行させるプログラムにおいて、
前記送信装置から送信されてくる、大容量のデータである大容量データを含むデータを受信するデータ受信ステップと、
前記大容量データの存在を通知する通知情報を、狭帯域の通信回線を介して、受信装置に送信する通知情報送信ステップと、
前記受信装置からの要求に応じて、前記大容量データを、広帯域の通信回線を介して、前記要求のあった受信装置に送信する大容量データ送信ステップと
を含み、
前記狭帯域または広帯域の通信回線のうちの少なくとも一方は、無線回線である
ことを特徴とするプログラム。
【請求項２４】
送信装置から送信されてくるデータを受信して処理する情報処理装置からデータを受信する受信装置において、
前記送信装置が前記情報処理装置に送信した大容量のデータである大容量データの存在を通知する通知情報を、前記情報処理装置から狭帯域の通信回線を介して受信する通知情報受信手段と、
前記通知情報に基づいて、前記大容量データを、前記情報処理装置に要求する要求手段と、
前記大容量データの要求に応じて前記情報処理装置から送信されてくる前記大容量データを、広帯域の通信回線を介して受信する大容量データ受信手段と
を備え、
前記狭帯域または広帯域の通信回線のうちの少なくとも一方は、無線回線である
ことを特徴とする受信装置。
【請求項２５】
前記通知情報受信手段は、前記大容量データにアクセスするためのアクセスキーを含む前記通知情報を受信し、
前記要求手段は、前記アクセスキーに基づいて、前記大容量データを、前記情報処理装置に要求する
ことを特徴とする請求項２４に記載の受信装置。
【請求項２６】
前記狭帯域の通信回線は、携帯電話網を含み、
前記広帯域の通信回線は、ＷＬＡＮ（Ｗｉｒｅｌｅｓｓ  Ｌｏｃａｌ  Ａｒｅａ  Ｎｅｔｗｏｒｋ）網を含む
ことを特徴とする請求項２４に記載の受信装置。
【請求項２７】
送信装置から送信されてくるデータを受信して処理する情報処理装置からデータを受信する受信方法において、
前記送信装置が前記情報処理装置に送信した大容量のデータである大容量データの存在を通知する通知情報を、前記情報処理装置から狭帯域の通信回線を介して受信する通知情報受信ステップと、
前記通知情報に基づいて、前記大容量データを、前記情報処理装置に要求する要求ステップと、
前記大容量データの要求に応じて前記情報処理装置から送信されてくる前記大容量データを、広帯域の通信回線を介して受信する大容量データ受信ステップとを含み、
前記狭帯域または広帯域の通信回線のうちの少なくとも一方は、無線回線である
ことを特徴とする受信方法。
【請求項２８】
送信装置から送信されてくるデータを受信して処理する情報処理装置からデータを受信する受信処理を、コンピュータに実行させるプログラムにおいて、
前記送信装置が前記情報処理装置に送信した大容量のデータである大容量データの存在を通知する通知情報を、前記情報処理装置から狭帯域の通信回線を介して受信する通知情報受信ステップと、
前記通知情報に基づいて、前記大容量データを、前記情報処理装置に要求する要求ステップと、
前記大容量データの要求に応じて前記情報処理装置から送信されてくる前記大容量データを、広帯域の通信回線を介して受信する大容量データ受信ステップとを含み、
前記狭帯域または広帯域の通信回線のうちの少なくとも一方は、無線回線である
ことを特徴とするプログラム。
【発明の詳細な説明】
【０００１】
【発明の属する技術分野】
本発明は、情報処理システム、情報処理装置および情報処理方法、受信装置および受信方法、並びにプログラムに関し、特に、例えば、携帯電話のサービスエリアの範囲の広さと、無線ＬＡＮ（Ｌｏｃａｌ  Ａｒｅａ  Ｎｅｔｗｏｒｋ）（以下、適宜、ＷＬＡＮ（Ｗｉｒｅｌｅｓｓ  ＬＡＮ）と称する）の高伝送レートの特徴を組み合わせて、低コストで高品質のビデオメールを提供することができるようにした情報処理システム、情報処理装置および情報処理方法、受信装置および受信方法、並びにプログラムに関する。
【０００２】
【従来の技術】
従来の狭帯域チャネルと広帯域チャネルを組み合わせた情報処理装置としては、携帯電話等で使用されている狭帯域チャネルを介して、ユーザからの電子メールの更新を通知し、高伝送レートを実現する広帯域チャネルから電子メールなどの特定のファイルをダウンロードするようにしたものがある（例えば、特許文献１参照）。この情報処理装置によれは、ユーザが制御できない通信コストが余計にかかることがなく、また、例えば、電話回線等の伝送路に不要なトラフィックが増加することなく、必要な時に最新の電子メールを引き出すことができる。なお、特許文献１に記載の技術は、例えば、Ｗｅｂの内容の更新を、登録者に電子メールで送信することにより、一種のメールマガジンによるＷｅｂへのアクセス回数の低減を図るものであり、個人間のコミュニケーションを図る手段を提供するものではない。
【０００３】
また、従来の情報処理装置としては、メールサーバで受信したメール、またはメールサーバから送信されるメールの情報を記憶手段に保存し、ネットワークを介して接続される別のユーザからのアクセスに対して、ユーザに前もって与えられたアクセス権に基づき、記憶手段に保存されているメールを表示できるように制御したものがある（例えば、特許文献２参照）。この情報処理装置によれば、複数の端末でメールを共有することができる。
【０００４】
【特許文献１】
特開平２０００−８３０６１号公報
【０００５】
【特許文献２】
特開平２００２−４４１２４号公報
【０００６】
【発明が解決しようとする課題】
ところで、近年においては、携帯電話システムが普及し、広いサービスエリアでサービスが提供されている。さらに、携帯電話機によって、音声通話のみならず、Ｅメール、写真（静止画）付きのＥメール、動画メールのやりとりや、いわゆるテレビ電話とのコミュニケーションなどが可能となってきている。
【０００７】
しかしながら、携帯電話の伝送帯域は、最大でも１００乃至３００ｋｂｐｓ（ｋｉｌｏ  ｂｉｔ  ｐｅｒ  Ｓｅｃｏｎｄ）であるため、携帯電話機では、低解像度の画像しか扱うことができなかった。画像を、携帯電話機の小さな画面で視聴する場合、その画像が、低解像度のものであっても、それほど画質は問題とならない。しかしながら、外出先から自宅のホームサーバに動画メールを送信し、自宅のリビングにある大画面テレビジョン受像機で、動画メールの動画像を見るというような場合には、画質の悪さが目立つことがあった。
【０００８】
そこで、動画像を、ある程度のビットレートで符号化する方法があるが、動画像を、例えば、４Ｍｂｐｓで符号化した場合には、１分間当りの情報量は、３０Ｍｂｙｔｅになり、現在までに実用化されている携帯電話の伝送レートではもちろん、今後数年以内に実現される予定の伝送レートでダウンロードするのであっても、そのダウンロードに要する時間とコストは大きなものとなる。
【０００９】
一方、最近サービスが開始されたＷＬＡＮによる公衆無線サービスでは、携帯電話の伝送レートに比べて２桁近く高い伝送レートが期待できる。しかしながら、公衆無線サービスがカバーするサービスエリア（以下、適宜、セルという）は限定されており、ユーザが、セルにいない場合には、公衆無線サービスによって、動画メールの存在すら認識することができない。
【００１０】
以上のように、携帯電話のサービスエリアは広いが、その伝送帯域は狭帯域である。一方、ＷＬＡＮを用いた公衆無線サービスは、伝送帯域が広帯域であるか、サービスエリアが限定されている。従って、携帯電話網では、高画質の動画メールの送受信のコストが問題となり、公衆無線サービスでは、動画はもちろん、メール自体も送受信できないエリアの多さが問題となる。
【００１１】
本発明は、このような状況を鑑みてなされたものであり、例えば，携帯電話機などのサービスエリアの広さと、ＷＬＡＮなどの高伝送レートとを有機的に組み合わせて低コストでかつ高品質（画質）の動画メールなどを扱うことができるようにするものである。
【００１２】
【課題を解決するための手段】
本発明の第１の情報処理システムは、情報処理装置は、送信装置から送信されてくる、大容量のデータである大容量データと宛先とを含むデータを受信するデータ受信手段と、大容量データの存在を通知する通知情報を、狭帯域の通信回線を介して、データの宛先となっている受信装置に送信する通知情報送信手段と、受信装置からの要求に応じて、大容量データを、広帯域の通信回線を介して、要求のあった受信装置に送信する大容量データ送信手段とを有し、受信装置は、自身宛の通知情報を、狭帯域の通信回線を介して受信する通知情報受信手段と、通知情報に基づいて、大容量データを、情報処理装置に要求する要求手段と、大容量データの要求に応じて情報処理装置から送信されてくる大容量データを、広帯域の通信回線を介して受信する大容量データ受信手段とを有することを特徴とする。
【００１３】
本発明の第１の情報処理方法は、情報処理装置において、送信装置から送信されてくる、大容量のデータである大容量データと宛先とを含むデータを受信するデータ受信ステップと、情報処理装置において、大容量データの存在を通知する通知情報を、狭帯域の通信回線を介して、データの宛先となっている受信装置に送信する通知情報送信ステップと、受信装置において、自身宛の通知情報を、狭帯域の通信回線を介して受信する通知情報受信ステップと、受信装置において、通知情報に基づいて、大容量データを、情報処理装置に要求する要求ステップと、情報処理装置において、受信装置からの要求に応じて、大容量データを、広帯域の通信回線を介して、要求のあった受信装置に送信する大容量データ送信ステップと受信装置において、大容量データの要求に応じて情報処理装置から送信されてくる大容量データを、広帯域の通信回線を介して受信する大容量データ受信ステップとを備えることを特徴とする。
【００１４】
本発明の第１プログラムは、情報処理装置において、送信装置から送信されてくる、大容量のデータである大容量データと宛先とを含むデータを受信するデータ受信ステップと、情報処理装置において、大容量データの存在を通知する通知情報を、狭帯域の通信回線を介して、データの宛先となっている受信装置に送信する通知情報送信ステップと、受信装置において、自身宛の通知情報を、狭帯域の通信回線を介して受信する通知情報受信ステップと、受信装置において、通知情報に基づいて、大容量データを、情報処理装置に要求する要求ステップと、情報処理装置において、受信装置からの要求に応じて、大容量データを、広帯域の通信回線を介して、要求のあった受信装置に送信する大容量データ送信ステップと、受信装置において、大容量データの要求に応じて情報処理装置から送信されてくる大容量データを、広帯域の通信回線を介して受信する大容量データ受信ステップとを備えることを特徴とする。
【００１５】
本発明の第１の情報処理装置は、送信装置から送信されてくる、大容量のデータである大容量データと宛先とを含むデータを受信するデータ受信手段と、大容量データの存在を通知する通知情報を、狭帯域の通信回線を介して、データの宛先となっている受信装置に送信する通知情報送信手段と、受信装置からの要求に応じて、大容量データを、広帯域の通信回線を介して、要求のあった受信装置に送信する大容量データ送信手段とを備えることを特徴とする。
【００１６】
本発明の第２情報処理方法は、送信装置から送信されてくる、大容量のデータである大容量データと宛先とを含むデータを受信するデータ受信ステップと、大容量データの存在を通知する通知情報を、狭帯域の通信回線を介して、データの宛先となっている受信装置に送信する通知情報送信ステップと、受信装置からの要求に応じて、大容量データを、広帯域の通信回線を介して、要求のあった受信装置に送信する大容量データ送信ステップとを含むことを特徴とする。
【００１７】
本発明の第２プログラムは、送信装置から送信されてくる、大容量のデータである大容量データと宛先とを含むデータを受信するデータ受信ステップと、大容量データの存在を通知する通知情報を、狭帯域の通信回線を介して、データの宛先となっている受信装置に送信する通知情報送信ステップと、受信装置からの要求に応じて、大容量データを、広帯域の通信回線を介して、要求のあった受信装置に送信する大容量データ送信ステップとを含むことを特徴とする。
【００１８】
本発明の第１の受信装置は、送信装置が情報処理装置に送信した、受信装置宛の大容量のデータである大容量データの存在を通知する通知情報を、情報処理装置から狭帯域の通信回線を介して受信する通知情報受信手段と、通知情報に基づいて、大容量データを、情報処理装置に要求する要求手段と、大容量データの要求に応じて情報処理装置から送信されてくる大容量データを、広帯域の通信回線を介して受信する大容量データ受信手段とを備えることを特徴とする。
【００１９】
本発明の第１の受信方法は、送信装置が情報処理装置に送信した、受信装置宛の大容量のデータである大容量データの存在を通知する通知情報を、情報処理装置から狭帯域の通信回線を介して受信する通知情報受信ステップと、通知情報に基づいて、大容量データを、情報処理装置に要求する要求ステップと、大容量データの要求に応じて情報処理装置から送信されてくる大容量データを、広帯域の通信回線を介して受信する大容量データ受信ステップとを含むことを特徴とする。
【００２０】
本発明の第３のプログラムは、送信装置が情報処理装置に送信した、受信装置宛の大容量のデータである大容量データの存在を通知する通知情報を、情報処理装置から狭帯域の通信回線を介して受信する通知情報受信ステップと、通知情報に基づいて、大容量データを、情報処理装置に要求する要求ステップと、大容量データの要求に応じて情報処理装置から送信されてくる大容量データを、広帯域の通信回線を介して受信する大容量データ受信ステップとを含むことを特徴とする。
【００２１】
本発明の第２の情報処理システムは、情報処理装置は、送信装置から送信されてくる、大容量のデータである大容量データを含むデータを受信するデータ受信手段と、大容量データの存在を通知する通知情報を、狭帯域の通信回線を介して、受信装置に送信する通知情報送信手段と、受信装置からの要求に応じて、大容量データを、広帯域の通信回線を介して、要求のあった受信装置に送信する大容量データ送信手段とを有し、受信装置は、通知情報を、狭帯域の通信回線を介して受信する通知情報受信手段と、通知情報に基づいて、大容量データを、情報処理装置に要求する要求手段と、大容量データの要求に応じて情報処理装置から送信されてくる大容量データを、広帯域の通信回線を介して受信する大容量データ受信手段とを有し、狭帯域または広帯域の通信回線のうちの少なくとも一方は、無線回線であることを特徴とする。
【００２２】
本発明の第３の情報処理方法は、情報処理装置において、送信装置から送信されてくる、大容量のデータである大容量データを含むデータを受信するデータ受信ステップと、情報処理装置において、大容量データの存在を通知する通知情報を、狭帯域の通信回線を介して、受信装置に送信する通知情報送信ステップと、受信装置において、通知情報を、狭帯域の通信回線を介して受信する通知情報受信ステップと、受信装置において、通知情報に基づいて、大容量データを、情報処理装置に要求する要求ステップと、情報処理装置において、受信装置からの要求に応じて、大容量データを、広帯域の通信回線を介して，要求のあった受信装置に送信する大容量データ送信ステップと、受信装置において、大容量データの要求に応じて情報処理装置から送信されてくる大容量データを、広帯域の通信回線を介して受信する大容量データ受信ステップとを備え、狭帯域または広帯域の通信回線のうちの少なくとも一方は、無線回線であることを特徴とする。
【００２３】
本発明の第４のプログラムは、情報処理装置において、送信装置から送信されてくる、大容量のデータである大容量データを含むデータを受信するデータ受信ステップと、情報処理装置において、大容量データの存在を通知する通知情報を、狭帯域の通信回線を介して、受信装置に送信する通知情報送信ステップと、受信装置において、通知情報を、狭帯域の通信回線を介して受信する通知情報受信ステップと、受信装置において、通知情報に基づいて、大容量データを、情報処理装置に要求する要求ステップと、情報処理装置において、受信装置からの要求に応じて、大容量データを、広帯域の通信回線を介して，要求のあった受信装置に送信する大容量データ送信ステップと、受信装置において、大容量データの要求に応じて情報処理装置から送信されてくる大容量データを、広帯域の通信回線を介して受信する大容量データ受信ステップとを備え、狭帯域または広帯域の通信回線のうちの少なくとも一方は、無線回線であることを特徴とする。
【００２４】
本発明の第２の情報処理装置は、送信装置から送信されてくる、大容量のデータである大容量データを含むデータを受信するデータ受信手段と、大容量データの存在を通知する通知情報を、狭帯域の通信回線を介して、受信装置に送信する通知情報送信手段と、受信装置からの要求に応じて、大容量データを、広帯域の通信回線を介して、要求のあった受信装置に送信する大容量データ送信手段とを備え、狭帯域または広帯域の通信回線のうちの少なくとも一方は、無線回線であることを特徴とする。
【００２５】
本発明の第４情報処理方法は、送信装置から送信されてくる、大容量のデータである大容量データを含むデータを受信するデータ受信ステップと、大容量データの存在を通知する通知情報を、狭帯域の通信回線を介して、受信装置に送信する通知情報送信ステップと、受信装置からの要求に応じて、大容量データを、広帯域の通信回線を介して、要求のあった受信装置に送信する大容量データ送信ステップとを含み、狭帯域または広帯域の通信回線のうちの少なくとも一方は、無線回線であることを特徴とする。
【００２６】
本発明の第５のプログラムは、送信装置から送信されてくる、大容量のデータである大容量データを含むデータを受信するデータ受信ステップと、大容量データの存在を通知する通知情報を、狭帯域の通信回線を介して、受信装置に送信する通知情報送信ステップと、受信装置からの要求に応じて、大容量データを、広帯域の通信回線を介して、要求のあった受信装置に送信する大容量データ送信ステップとを含み、狭帯域または広帯域の通信回線のうちの少なくとも一方は、無線回線であることを特徴とする。
【００２７】
本発明の第２の受信装置は、送信装置が情報処理装置に送信した大容量のデータである大容量データの存在を通知する通知情報を、情報処理装置から狭帯域の通信回線を介して受信する通知情報受信手段と、通知情報に基づいて、大容量データを、情報処理装置に要求する要求手段と、大容量データの要求に応じて情報処理装置から送信されてくる大容量データを、広帯域の通信回線を介して受信する大容量データ受信手段とを備え、狭帯域または広帯域の通信回線のうちの少なくとも一方は、無線回線であることを特徴とする。
【００２８】
本発明の第２の受信方法は、送信装置が情報処理装置に送信した大容量のデータである大容量データの存在を通知する通知情報を、情報処理装置から狭帯域の通信回線を介して受信する通知情報受信ステップと、通知情報に基づいて、大容量データを、情報処理装置に要求する要求ステップと、大容量データの要求に応じて情報処理装置から送信されてくる大容量データを、広帯域の通信回線を介して受信する大容量データ受信ステップとを含み、狭帯域または広帯域の通信回線のうちの少なくとも一方は、無線回線であることを特徴とする。
【００２９】
本発明の第６のプログラムは、送信装置が情報処理装置に送信した大容量のデータである大容量データの存在を通知する通知情報を、情報処理装置から狭帯域の通信回線を介して受信する通知情報受信ステップと、通知情報に基づいて、大容量データを、情報処理装置に要求する要求ステップと、大容量データの要求に応じて情報処理装置から送信されてくる大容量データを、広帯域の通信回線を介して受信する大容量データ受信ステップとを含み、狭帯域または広帯域の通信回線のうちの少なくとも一方は、無線回線であることを特徴とする。
【００３０】
本発明の第１の情報処理システム、第１の情報処理方法、および第１のプログラムにおいては、情報処理装置は、送信装置から送信されてくる、大容量のデータである大容量データと宛先とを含むデータを受信し、大容量データの存在を通知する通知情報を、狭帯域の通信回線を介して、データの宛先となっている受信装置に送信し、受信装置からの要求に応じて、大容量データを、広帯域の通信回線を介して、要求のあった受信装置に送信する。受信装置は、自身宛の通知情報を、狭帯域の通信回線を介して受信し、通知情報に基づいて、大容量データを、情報処理装置に要求し、大容量データの要求に応じて情報処理装置から送信されてくる大容量データを、広帯域の通信回線を介して受信する。
【００３１】
本発明の第１の情報処理装置、第２の情報処理方法、および第２のプログラムにおいては、送信装置から送信されてくる、大容量のデータである大容量データと宛先とを含むデータを受信し、大容量データの存在を通知する通知情報を、狭帯域の通信回線を介して、データの宛先となっている受信装置に送信し、受信装置からの要求に応じて、大容量データを、広帯域の通信回線を介して、要求のあった受信装置に送信する。
【００３２】
本発明の第１の受信装置、第１の受信方法、および第３のプログラムにおていは、送信装置が情報処理装置に送信した、受信装置宛の大容量のデータである大容量データの存在を通知する通知情報を、情報処理装置から狭帯域の通信回線を介して受信し、通知情報に基づいて、大容量データを、情報処理装置に要求し、大容量データの要求に応じて情報処理装置から送信されてくる大容量データを、広帯域の通信回線を介して受信する。
【００３３】
本発明の第２の情報処理システム、第３の情報処理方法、および第４のプログラムにおいては、情報処理装置は、送信装置から送信されてくる、大容量のデータである大容量データを含むデータを受信し、大容量データの存在を通知する通知情報を、狭帯域の通信回線を介して、受信装置に送信し、受信装置からの要求に応じて、大容量データを、広帯域の通信回線を介して、要求のあった受信装置に送信する。受信装置は、通知情報を、狭帯域の通信回線を介して受信し、通知情報に基づいて、大容量データを、情報処理装置に要求し、大容量データの要求に応じて情報処理装置から送信されてくる大容量データを、広帯域の通信回線を介して受信する。狭帯域または広帯域の通信回線のうちの少なくとも一方は、無線回線となっている。
【００３４】
本発明の第２の情報処理装置、第４の情報処理方法、および第５のプラグラムにおいては、送信装置から送信されてくる、大容量のデータである大容量データを含むデータを受信し、大容量データの存在を通知する通知情報を、狭帯域の通信回線を介して、受信装置に送信し、受信装置からの要求に応じて、大容量データを、広帯域の通信回線を介して、要求のあった受信装置に送信する。狭帯域または広帯域の通信回線のうちの少なくとも一方は、無線回線となっている。
【００３５】
本発明の第２の受信装置、第２の受信方法、第６のプラグラムにおいては、送信装置が情報処理装置に送信した大容量のデータである大容量データの存在を通知する通知情報を、情報処理装置から狭帯域の通信回線を介して受信し、通知情報に基づいて、大容量データを、情報処理装置に要求し、大容量データの要求に応じて情報処理装置から送信されてくる大容量データを、広帯域の通信回線を介して受信する。狭帯域または広帯域の通信回線のうちの少なくとも一方は、無線回線となっている。
【００３６】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３８】
請求項１に記載の情報処理システムは、送信装置から送信されてくるデータを受信して処理する情報処理装置と、情報処理装置からデータを受信する受信装置とを備える情報処理システムにおいて、送信装置から送信されてくる、大容量のデータである大容量データと宛先とを含むデータを受信するデータ受信手段（例えば、図３の認証部２１）と、大容量データの存在を通知する通知情報を、狭帯域の通信回線を介して、データの宛先となっている受信装置に送信する通知情報送信手段（例えば、図３の送信部２８）と、受信装置からの要求に応じて、大容量データを、広帯域の通信回線を介して、要求のあった受信装置に送信する大容量データ送信手段（例えば、図３の送信部２８）とを有し、受信装置は、自身宛の通知情報を、狭帯域の通信回線を介して受信する通知情報受信手段（例えば、図９の受信部６１）と、通知情報に基づいて、大容量データを、情報処理装置に要求する要求手段（例えば、図９のビデオメール要求命令生成部６３）と、大容量データの要求に応じて情報処理装置から送信されてくる大容量データを、広帯域の通信回線を介して受信する大容量データ受信手段（例えば、図９の受信部６１）とを有することを特徴とする。
【００３９】
請求項２に記載の情報処理方法は、送信装置から送信されてくるデータを受信して処理する情報処理装置と、情報処理装置からデータを受信する受信装置とを備える情報処理システムの情報処理方法において、情報処理装置において、送信装置から送信されてくる、大容量のデータである大容量データと宛先とを含むデータを受信するデータ受信ステップ（例えば、図３の認証部２１が行う処理）と、情報処理装置において、大容量データの存在を通知する通知情報を、狭帯域の通信回線を介して、データの宛先となっている受信装置に送信する通知情報送信ステップ（例えば、図６のプログラムの処理ステップＳ１８）と、受信装置において、自身宛の通知情報を、狭帯域の通信回線を介して受信する通知情報受信ステップ（例えば、図１０のプログラム処理ステップＳ５１）と、受信装置において、通知情報に基づいて、大容量データを、情報処理装置に要求する要求ステップ（例えば、図１０のプログラムの処理ステップＳ５３）と、情報処理装置において、受信装置からの要求に応じて、大容量データを、広帯域の通信回線を介して、要求のあった受信装置に送信する大容量データ送信ステップ（例えば、図８のプログラムの処理ステップＳ３７）と、受信装置において、大容量データの要求に応じて情報処理装置から送信されてくる大容量データを、広帯域の通信回線を介して受信する大容量データ受信ステップ（例えば、図１０のプログラムの処理ステップＳ５６）とを備えることを特徴とする。
【００４０】
請求項３の各ステップと発明の実施の形態との対応関係は、請求項２の情報処理方法における場合と同様である。
【００４１】
請求項４に記載の情報処理装置は、送信装置から送信されてくるデータを受信して処理する情報処理装置において、送信装置から送信されてくる、大容量のデータである大容量データと宛先とを含むデータを受信するデータ受信手段（例えば、図３の認証部２１）と、大容量データの存在を通知する通知情報を、狭帯域の通信回線を介して、データの宛先となっている受信装置に送信する通知情報送信手段（例えば、図３の送信部２８）と、受信装置からの要求に応じて、大容量データを、広帯域の通信回線を介して、要求のあった受信装置に送信する大容量データ送信手段（例えば、図３の送信部２８）とを備えることを特徴とする。
【００４２】
請求項５に記載の情報処理装置は、大容量データにアクセスするためのアクセスキーを生成するアクセスキー生成手段（例えば、図３のアクセスキー生成部２６）を備え、通知情報送信手段は、通知情報にアクセスキーを含めて送信し、大容量データ送信手段は、受信装置から送信されてくる前記アクセスキーに対応する大容量データを送信することを特徴とする。
【００４３】
請求項６に記載の情報処理装置は、大容量データのフォーマットを、受信装置に対応するフォーマットに変換するフォーマット変換手段（例えば、図３のフォーマット変換部２４）をさらに備え、大容量データ送信手段は、フォーマットが変換された大容量データを送信することを特徴とする。
【００４４】
請求項８に記載の情報処理方法は、送信装置から送信されてくるデータを受信して処理する情報処理方法において、送信装置から送信されてくる、大容量のデータである大容量データと宛先とを含むデータを受信するデータ受信ステップ（例えば、図６のプログラムの処理ステップＳ１４）と、大容量データの存在を通知する通知情報を、狭帯域の通信回線を介して、データの宛先となっている受信装置に送信する通知情報送信ステップ（例えば、図６のプログラムの処理ステップＳ１８）と、受信装置からの要求に応じて、大容量データを、広帯域の通信回線を介して、要求のあった受信装置に送信する大容量データ送信ステップ（例えば、図８のプログラムの処理ステップＳ３７）とを含むことを特徴とする。
【００４５】
請求項９の各ステップと発明の実施の形態との対応関係は、請求項８の情報処理方法における場合と同様である。
【００４６】
請求項１０に記載の受信装置は、送信装置から送信されてくるデータを受信して処理する情報処理装置からデータを受信する受信装置において、送信装置が情報処理装置に送信した、受信装置宛の大容量のデータである大容量データの存在を通知する通知情報を、情報処理装置から狭帯域の通信回線を介して受信する通知情報受信手段（例えば、図９の受信部６１）と、通知情報に基づいて、大容量データを、情報処理装置に要求する要求手段（例えば、図９のビデオメール要求命令生成部６３）と、大容量データの要求に応じて情報処理装置から送信されてくる大容量データを、広帯域の通信回線を介して受信する大容量データ受信手段（例えば、図９の受信部６１）とを備えることを特徴とする。
【００４７】
請求項１３に記載の受信方法は、送信装置から送信されてくるデータを受信して処理する情報処理装置からデータを受信する受信方法において、送信装置が情報処理装置に送信した、受信装置宛の大容量のデータである大容量データの存在を通知する通知情報を、情報処理装置から狭帯域の通信回線を介して受信する通知情報受信ステップ（例えば、図１０のプログラムの処理ステップＳ５１）と、通知情報に基づいて、大容量データを、情報処理装置に要求する要求ステップ（例えば、図１０のプログラムの処理ステップＳ５３）と、大容量データの要求に応じて情報処理装置から送信されてくる大容量データを、広帯域の通信回線を介して受信する大容量データ受信ステップ（例えば、図１０のプログラムの処理ステップＳ５６）とを含むことを特徴とする。
【００４８】
請求項１４の各ステップと発明の実施の形態との対応関係は、請求項１３の情報処理方法における場合と同様である。
【００４９】
請求項１５に記載されている情報処理システムは、送信装置から送信されてくるデータを受信して処理する情報処理装置と、情報処理装置からデータを受信する受信装置とを備える情報処理システムにおいて、情報処理装置は、送信装置から送信されてくる、大容量のデータである大容量データを含むデータを受信するデータ受信手段（例えば、図３の認証部２１）と、大容量データの存在を通知する通知情報を、狭帯域の通信回線を介して、受信装置に送信する通知情報送信手段と（例えば、図３の送信部２８）、受信装置からの要求に応じて、大容量データを、広帯域の通信回線を介して、要求のあった受信装置に送信する大容量データ送信手段（例えば、図３の送信部２８）とを有し、受信装置は、通知情報を、狭帯域の通信回線を介して受信する通知情報受信手段（例えば、図９の受信部６１）と、通知情報に基づいて、大容量データを、情報処理装置に要求する要求手段（例えば、図９のビデオメール要求命令生成部６３）と、大容量データの要求に応じて情報処理装置から送信されてくる大容量データを、広帯域の通信回線を介して受信する大容量データ受信手段（例えば、図９の受信部６１）とを有し、狭帯域または広帯域の通信回線のうちの少なくとも一方は、無線回線であることを特徴とする。
【００５０】
請求項１６に記載されている情報処理方法は、送信装置から送信されてくるデータを受信して処理する情報処理装置と、情報処理装置からデータを受信する受信装置とを備える情報処理システムの情報処理方法において、情報処理装置において、送信装置から送信されてくる、大容量のデータである大容量データを含むデータを受信するデータ受信ステップ（例えば、図６のプログラムの処理ステップＳ１４）と、情報処理装置において、大容量データの存在を通知する通知情報を、狭帯域の通信回線を介して、受信装置に送信する通知情報送信ステップ（例えば、図６のプログラムの処理ステップＳ１８）と、受信装置において、通知情報を、狭帯域の通信回線を介して受信する通知情報受信ステップ（例えば、図１０のプログラムの処理ステップＳ５１）と、受信装置において、通知情報に基づいて、大容量データを、情報処理装置に要求する要求ステップ（例えば、図１０のプログラムの処理ステップＳ５３）と、情報処理装置において、受信装置からの要求に応じて、大容量データを、広帯域の通信回線を介して、要求のあった受信装置に送信する大容量データ送信ステップ（例えば、図８のプログラムの処理ステップＳ３７）と、受信装置において、大容量データの要求に応じて情報処理装置から送信されてくる大容量データを、広帯域の通信回線を介して受信する大容量データ受信ステップ（例えば、図１０のプログラムの処理ステップＳ５６）とを備え、狭帯域または広帯域の通信回線のうちの少なくとも一方は、無線回線であることを特徴とする。
【００５１】
請求項１７の各ステップと発明の実施の形態との対応関係は、請求項１６の情報処理方法における場合と同様である。
【００５２】
請求項１８に記載の情報処理装置は、送信装置から送信されてくるデータを受信して処理する情報処理装置において、送信装置から送信されてくる、大容量のデータである大容量データを含むデータを受信するデータ受信手段（例えば、図３の認証部２１）と、大容量データの存在を通知する通知情報を、狭帯域の通信回線を介して、受信装置に送信する通知情報送信手段（例えば、図３の送信部２８）と、受信装置からの要求に応じて、大容量データを、広帯域の通信回線を介して、要求のあった受信装置に送信する大容量データ送信手段（例えば、図３の送信部２８）とを備え、狭帯域または広帯域の通信回線のうちの少なくとも一方は、無線回線であることを特徴とする。
【００５３】
請求項１９に記載の情報処理装置は、大容量データにアクセスするためのアクセスキーを生成するアクセスキー生成手段（例えば、図３のアクセスキー生成部２６）を備え、通知情報送信手段は、通知情報にアクセスキーを含めて送信し、大容量データ送信手段は、受信装置から送信されてくるアクセスキーに対応する大容量データを送信することを特徴とする。
【００５４】
請求項２０に記載の情報処理装置は、大容量データのフォーマットを、受信装置に対応するフォーマットに変換するフォーマット変換手段（例えば、図３のフォーマット変換部２４）をさらに備え、大容量データ送信手段は、フォーマットが変換された大容量データを送信することを特徴とする。
【００５５】
請求項２２に記載の情報処理方法は、送信装置から送信されてくるデータを受信して処理する情報処理方法において、送信装置から送信されてくる、大容量のデータである大容量データを含むデータを受信するデータ受信ステップ（例えば、図３の認証部２１が行う処理）と、大容量データの存在を通知する通知情報を、狭帯域の通信回線を介して、受信装置に送信する通知情報送信ステップ（例えば、図６のプログラムの処理ステップＳ１８）と、受信装置からの要求に応じて、大容量データを、広帯域の通信回線を介して、要求のあった受信装置に送信する大容量データ送信ステップ（例えば、図８のプログラムの処理ステップＳ３７）とを含み、狭帯域または広帯域の通信回線のうちの少なくとも一方は、無線回線であることを特徴とする。
【００５６】
請求項２３の各ステップと発明の実施の形態との対応関係は、請求項２２の情報処理方法における場合と同様である。
【００５７】
請求項２４に記載の受信装置は、送信装置から送信されてくるデータを受信して処理する情報処理装置からデータを受信する受信装置において、送信装置が情報処理装置に送信した大容量のデータである大容量データの存在を通知する通知情報を、情報処理装置から狭帯域の通信回線を介して受信する通知情報受信手段と（例えば、図９の受信部６１）、通知情報に基づいて、大容量データを、情報処理装置に要求する要求手段（例えば、図９のビデオメール要求命令生成部６３）と、大容量データの要求に応じて情報処理装置から送信されてくる大容量データを、広帯域の通信回線を介して受信する大容量データ受信手段（例えば、図９の受信部６１）とを備え、狭帯域または広帯域の通信回線のうちの少なくとも一方は、無線回線であることを特徴とする。
【００５８】
請求項２７に記載の受信方法は、送信装置から送信されてくるデータを受信して処理する情報処理装置からデータを受信する受信方法において、送信装置が情報処理装置に送信した大容量のデータである大容量データの存在を通知する通知情報を、情報処理装置から狭帯域の通信回線を介して受信する通知情報受信ステップ（例えば、図１０のプログラムの処理ステップＳ５１）と、通知情報に基づいて、大容量データを、情報処理装置に要求する要求ステップ（例えば、図１０のプログラムの処理ステップＳ５３）と、大容量データの要求に応じて情報処理装置から送信されてくる大容量データを、広帯域の通信回線を介して受信する大容量データ受信ステップ（例えば、図１０のプログラムの処理ステップＳ５６）とを含み、狭帯域または広帯域の通信回線のうちの少なくとも一方は、無線回線であることを特徴とする。
【００５９】
請求項２８の各ステップと発明の実施の形態との対応関係は、請求項２７の情報処理方法における場合と同様である。
【００６０】
図１は、本発明を適用した情報処理システムの一実施の形態の構成例を示す図である。図１の情報処理システムは、第１の携帯端末１、ＷＬＡＮアクセスポイント２、インターネット３、ファイルサーバ４、管理センタ５、基地局６、第２の携帯端末７、ＷＬＡＮアクセスポイント８、ビデオカメラ９、ＰＣ（Ｐｅｒｓｏｎａｌ  Ｃｏｍｐｕｔｅｒ）１０、および表示部１１から構成されている。
【００６１】
図１の情報処理システムにおいては、例えば、第１の携帯端末１、第２の携帯端末７、およびＰＣ１０のユーザは、あらかじめ、ファイルサーバ４を利用することができるユーザとして、ファイルサーバ４に登録し、ファイルサーバ４を利用する場合には、ファイルサーバ４のユーザとして認証される必要がある。
【００６２】
第１の携帯端末１は、動画像を撮影することができるようになされている。さらに、第１の携帯端末１は、電子メールの送受信機能およびＷＬＡＮ機能を有しており，ユーザの操作に応じてテキスト文書であるメール本文を含み、第２の携帯端末７やＰＣ１０のユーザのメールアドレスを宛先とする電子メールを作成し、その電子メールに撮影した動画像を添付した動画メール（以下，ビデオメールともいう）を作成する。図１では、第１の携帯端末１は、ＷＬＡＮアクセスポイント２のセル内に存在し、作成したビデオメールを、広帯域の通信回線であるＷＬＡＮによって、ＷＬＡＮアクセスポイント２に送信することができる。
【００６３】
ＷＬＡＮアクセスポイント２は、そのセル内に存在する無線通信装置と、ＷＬＡＮの規格に準拠した高伝送レートでの無線通信を行うアクセスポイントとして機能する。即ち、ＷＬＡＮアクセスポイント２は、そのセル内にいる無線通信装置からのデータを、そのセル内の他の無線通信装置や、インターネット３に送信する。また、ＷＬＡＮアクセスポイント２は、インターネット３からのデータを、そのセル内にいる無線通信装置に送信する。図１では、第１の携帯端末１がＷＬＡＮアクセスポイント２のセルに存在する。従って、ＷＬＡＮアクセスポイント２は、第１の携帯端末１から、無線でビデオメールが送信されてくると、そのビデオメールを受信し、受信したビデオメールを、例えば、インターネット３に伝送する。なお、ＷＬＡＮアクセスポイント２と、第１の携帯端末１またはインターネット３との間では、高伝送レートでの通信を行うことができる。
【００６４】
インターネット３には、図１では、ＷＬＡＮアクセスポイント２，８、ファイルサーバ４、管理センタ５、ＰＣ１０が接続されており、従って、これらの間では、インターネット３を介した通信を行うことができるようになっている。
【００６５】
ファイルサーバ４は、インターネット３に接続されており、ＷＬＡＮアクセスポイント２や８などによって構成される広帯域の通信回線と、携帯電話（ＰＨＳ（Ｐｅｒｓｏｎａｌ  Ｈａｎｄｙ−ｐｈｏｎｅ  Ｓｙｓｔｅｍ）なども含む）の基地局６などによって提供される狭帯域の通信回線とを利用して、後述するようなビデオメールサービスを提供する。
【００６６】
管理センタ５は、基地局６を含む図示せぬ多数の基地局を管理し、携帯電話のサービス（無線通信サービス）を提供する。また、管理センタ５は、インターネット３に接続されており、基地局６を、インターネット３に接続して、基地局６とインターネット３との間の通信を可能とする。
【００６７】
基地局６は、管理センタ５により管理され、そのセル内にいる携帯電話機などの携帯端末と、携帯電話の規格に準拠した狭帯域の通信回線を介して無線通信によるデータなどのやりとりを行う。また、基地局６は、管理センタ５と接続されており、管理センタ５からのデータなどを、そのセル内の携帯端末に送信するとともに、そのセル内の携帯端末からのデータなどを管理センタ５に送信する。
【００６８】
なお、図示していないが、基地局は、多数設置されており、広いエリアで携帯電話のサービスを提供する。図１では、第１の携帯端末１も第２の携帯端末７も、携帯電話のサービスを受けることができるエリアに存在している。
【００６９】
第２の携帯端末７は、例えば、第１の携帯端末１と同様に構成される。なお、図１では、第２の携帯端末７は、ＷＬＡＮアクセスポイント８のセル内に存在している。
【００７０】
ここで、第１の携帯端末１と第２の携帯端末７とは、例えば、携帯電話機その他のＰＤＡ（Ｐｅｒｓｏｎａｌ  Ｄｉｇｉｔａｌ  Ａｓｓｉｓｔａｎｔ）などにより構成することが可能である。
【００７１】
ＷＬＡＮアクセスポイント８は、インターネット３に接続されており、ＷＬＡＮアクセスポイント２と同様に、広帯域の通信回線による無線通信サービスを提供する。
【００７２】
なお、ＷＬＡＮアクセスポイント２および８などのＷＬＡＮアクセスポイントの設置数は、今のところ少数であり、従って、そのサービスエリアは、携帯電話のサービスエリアに比較して限られている。
【００７３】
ビデオカメラ９、ＰＣ１０、および表示部１１は、ユーザ宅に設置されている。
【００７４】
ビデオカメラ９は、動画像を撮影する。ビデオカメラ９で撮影された動画像は、例えば、ＰＣ１０に出力することができる。
【００７５】
ＰＣ１０は、インターネット３に接続されており、インターネット３との間で各種のデータ通信を行うことができるようになっている。なお、ＰＣ１０とインターネット３との間の接続には、例えば、ＷＬＡＮによって提供されるのと同様に広帯域の通信回線であるＡＤＳＬ（Ａｓｙｍｍｅｔｒｉｃ  Ｄｉｇｉｔａｌ  Ｓｕｂｓｃｒｉｂｅｒ  Ｌｉｎｅ）や、ＣＡＴＶ（Ｃａｂｌｅ  Ｔｅｌｅｖｉｓｉｏｎ）網、光ファイバなどを利用することができる。
【００７６】
表示部１１は、例えば、テレビジョン受像機で構成され、テレビジョン放送番組を表示（出力）する。なお、表示部１１は、ＰＣ１０と接続することができ、この場合、ＰＣ１０から動画を転送して表示させることができる。表示部１１は、テレビジョン受像機で構成する他、ホームシアタシステムのプロジェクタおよびスクリーンなどで構成することもできる。
【００７７】
図２は、第１の携帯端末１から第２の携帯端末７にビデオメールを送信する場合の処理の概要を説明するフローチャートである。なお、第１の携帯端末１は、ＷＬＡＮアクセスポイント２のセル内に存在し、第２の携帯端末７は、少なくとも、携帯電話のサービスが受けられるエリア、即ち、例えば、基地局６のセル内に存在するものとする。
【００７８】
ステップＳ１において、第１の携帯端末１は、ユーザの操作にしたがい、ビデオメールを作成し、作成したビデオメールの宛先を第２の携帯端末７として送信する。第１の携帯端末１が送信するビデオメールは、ＷＬＡＮアクセスポイント２が提供する広帯域の無線通信回線、さらには、インターネット３を介して、ファイルサーバ４に送信される。
【００７９】
その後、ステップＳ２に進み、ファイルサーバ４は、第１の携帯端末１から送信されたビデオメールを受信して格納する。さらに、ファイルサーバ４は、格納したビデオメールの宛先である第２の携帯端末７にビデオメールの存在を通知するメッセージ（通知情報）を、例えば、テキストのみの電子メールで送信し、ステップＳ３に進む。
【００８０】
ファイルサーバ４が送信する通知情報としての電子メール（以下、適宜、通知メールという）は、インターネット３、管理センタ５、および基地局６が提供する狭帯域の通信回線である携帯電話の無線通信回線を介して、ビデオメールの宛先である第２の携帯端末７に送信され、第２の携帯端末７は、その通知メールを受信する。
【００８１】
第２の携帯端末７のユーザ７は、ＷＬＡＮアクセスポイント８のセル内にいるとき、あるいは移動したとき、ステップＳ３において、第２の携帯端末７を操作し、通知メールに記述されている後述するアクセスキーを含む、動画を要求する要求メッセージをファイルサーバ４に送信して、ステップＳ４に進む。第２の携帯端末７が送信する要求メッセージは、ＷＬＡＮアクセスポイント８が提供する広帯域の通信回線、およびインターネット３を介して、ファイルサーバ４に送信される。
【００８２】
ステップＳ４において、ファイルサーバ４は、第２の携帯端末７から送信されてくる要求メッセージを受信する。さらに、ステップＳ４において、ファイルサーバ４は、要求メッセージに応じて、第１の携帯端末１から送信されてきた第２の携帯端末７のユーザ宛のビデオメールを、インターネット３、および第２の携帯端末７が提供する広帯域の通信回線を介して、第２の携帯端末７に送信し、処理を終了する。
【００８３】
従って、第２の携帯端末７のユーザは、携帯電話の通信回線を介して送信されてくる通知メールによって、即座に、ビデオメールの存在を認識することができ、さらに、ＷＬＡＮを介して、大容量のビデオメールを、低コストで受信することができる。
【００８４】
図３は、図２のステップＳ１およびＳ２の処理に関連した処理（以下、適宜、前段処理という）を行うファイルサーバ４の構成部分の構成例を示すブロック図である。
【００８５】
図３のファイルサーバ４は、認証部２１、ユーザ登録情報記憶部２２、受信部２３、フォーマット変換部２４、記憶部２５、アクセスキー生成部２６、アクセス権判定部２７、および、送信部２８から構成されている。
【００８６】
以下では、ビデオメールの送信元を第１の携帯端末１とするとともに、ビデオメールの送信先（宛先）を第２の携帯端末７として、ファイルサーバ４の構成を説明する。
【００８７】
認証部２１は、第１の携帯端末１が送信してくるビデオメールを受信し、そのビデオメールの送信元である第１の携帯端末１のユーザと、宛先である第２の携帯端末７のユーザの認証処理を行う。
【００８８】
即ち、ファイルサーバ４のサービスを受けるためには、ビデオメールの送信元のユーザと宛先のユーザがファイルサーバ４にあらかじめユーザ登録をしておく必要があり、認証部２１は、そのユーザ登録を確認するための認証処理を行う。認証部２１は、認証が成功した場合、第１の携帯端末１から送信されてきたビデオメールの宛先である第２の携帯端末７のメールアドレスを、ユーザ登録情報記憶部２２に出力するとともに、そのビデオメールを受信部２３に出力する。
【００８９】
一方、認証部２１は、認証が成功しなかった場合、即ち、第１の携帯端末１または第２の携帯端末７のユーザのうちのいずれか一方、または両方が、登録ユーザ（ユーザ登録済みのユーザ）でない場合、サービスを利用できないという情報であるエラーメッセージを作成し、送信部２８に出力する。このエラーメッセージは、送信部２８から第１の携帯端末１に送信される。
【００９０】
ユーザ登録情報記憶部２２は、ユーザ登録済みのユーザのメールアドレス、そのユーザがメールの送受信に利用する装置の属性情報、ユーザ登録を行ったユーザに割り当てられるフォルダを特定するフォルダ特定情報を対応付けて記憶している。そして、ユーザ登録情報記憶部２２は、認証部２１からビデオメールの宛先である第２の携帯端末７のユーザのメールアドレスが入力されると、そのメールアドレスに対応付けられている第２の携帯端末７の属性情報と、フォルダ特定情報とを、フォーマット変換部２４と、記憶部２５とにそれぞれ出力する。
【００９１】
受信部２３には、認証部２１から出力されるビデオメールが入力され、受信部２３は、そのビデオメールをフォーマット変換部２５に出力する。さらに、受信部２３は、入力されたビデオメールにアクセス（ダウンロード）するためのアクセスキーを生成する命令としてのアクセスキー生成命令を作成し、アクセスキー生成部２６に出力する。
【００９２】
フォーマット変換部２４は、ユーザ登録情報記憶部２２から出力される宛先である第２の携帯端末７のユーザの属性情報に基づき、受信部２３から出力されるビデオメールに添付された動画を、宛先の端末のフォーマットに対応してフォーマット変換し、そのフォーマット変換後のビデオメールを記憶部２６に出力する。即ち、属性情報は、ユーザがビデオメールの送受信に利用する装置で扱うことのできる動画のフォーマットの情報を少なくとも含んでおり、フォーマット変換部２４は、第２の携帯端末７のユーザの属性情報に従い、第２の携帯端末７のユーザ宛のビデオメールに添付された動画のフォーマットを、第２の携帯端末７で扱うことができるフォーマットに変換する。また、フォーマット変換部２４は、受信部２３からのビデオメールから、そのビデオメールに添付された動画を削除し、残ったテキスト部分を、通知メールとして送信部２８に出力する。
【００９３】
記憶部２５は、ユーザ登録情報記憶部２２から入力されたフォルダ特定情報に基づき、宛先である第２の携帯端末７のユーザにユーザ登録時に割り当てられたフォルダを特定し、特定されたフォルダに、フォーマット変換部２４から入力されたフォーマット変換後の第２の携帯端末７のユーザ宛のビデオメールを格納する。
【００９４】
ここで、図４は、図３の記憶部２５の論理的な構成例を示している。記憶部２５には、ユーザ登録を行った登録ユーザがアクセス権をもつユーザ毎のフォルダが作成される。記憶部２５は、ユーザ登録情報記憶部２２から出力されるフォルダ特定情報から、第２の情報端末７のユーザのみがアクセス権を持つフォルダ（図４では、フォルダ４１となっている）を特定し、そのフォルダに、第２の携帯端末７のユーザ宛のビデオメールを格納する。
【００９５】
なお、記憶部２５には、例えば、１登録ユーザに対して１つのフォルダが作成される。また、登録ユーザがファイルサーバ４のサービスの利用を停止し、ユーザ登録を抹消した場合、記憶部２５は、その登録ユーザがアクセス権を持つフォルダを削除する。
【００９６】
図５は、図４の記憶部２５を構成するフォルダ４１の論理的な構成例を示している。フォルダ４１は、動画像ファイル格納領域５１と、メール本文格納領域５２とから構成されている。
【００９７】
なお、図５のフォルダ４１は、第２の携帯端末７のユーザに割り当てられたものであり、従って、第２の携帯端末７のユーザのみがアクセスすることができる。
【００９８】
動画像ファイル格納領域５１には、フォルダ４１が割り当てられた第２の携帯端末７のユーザ宛に送信されてきたビデオメールに添付された動画像（ファイル）が格納される。
【００９９】
メール本文格納領域５２には、フォルダ４１が割り当てられた第２の携帯端末７のユーザ宛に送信されてきたビデオメールのテキスト部分が格納される。
【０１００】
図３に戻り、アクセスキー生成部２６は、受信部２３から出力されたアクセスキー生成命令を受信し、そのアクセスキー生成命令が受信部２３で生成されたときに受信されたビデオメールにアクセスするためのユニークなアクセスキーを生成する。さらに、アクセスキー生成部２６は、生成されたアクセスキーを、アクセス権判定部２７と、送信部２８に供給する。
【０１０１】
アクセス権判定部２７は、アクセスキー生成部２６からアクセスキーをストアする。
【０１０２】
送信部２８は、認証部２１から供給される第１の携帯端末１のユーザ宛のエラーメッセージを、第１の携帯端末１に送信する。また、送信部２８は、フォーマット変換部２４から出力される通知メールに、アクセスキー生成部２６から出力されるアクセスキーを含め、第２の携帯端末７に送信する。
【０１０３】
ここで、ファイルサーバ４がエラーメッセージを第１の携帯端末１に送信することで、第１の携帯端末１のユーザに対して、第１の携帯端末１、または宛先である第２の携帯端末７のユーザが、ユーザ登録されていなかったということを、第１の携帯端末１のユーザに知らせることが可能となる。
【０１０４】
さらに、ファイルサーバ４によれば、ビデオメールのテキスト部分とアクセスキーとから構成される容量の小さい通知メールが、後述するように、携帯電話網、即ち、狭帯域ではあるがサービスエリアの広い通信回線を使用して伝送される。これにより、即座に、かつ小さいコストで、ビデオメールの受信の通知を第２の携帯端末７のユーザに対して行うことが可能となる。
【０１０５】
図６は、図３のファイルサーバ４が、ビデオメールを受信し、その宛先にビデオメールの受信の通知を行う処理（前段処理）を説明するフローチャートである。
【０１０６】
なお、図６の処理は、第１の携帯端末１からファイルサーバ４に対して、第２の携帯端末７のユーザ宛のビデオメールが、ＷＬＡＮアクセスポイント２およびインターネット３を介して送信されてくると開始される。
【０１０７】
ステップＳ１１において、認証部２１は、第１の携帯端末１からのビデオメールを受信し、そのビデオメールの送信元である第１の携帯端末１のユーザと、宛先である第２の携帯端末７のユーザのユーザ認証を行う。さらに、認証部２１は、ステップＳ１１において、その認証が成功したか否かを判定する。ステップＳ１１において、ユーザ認証が成功しなかったと判定された場合には、ステップＳ１２に進み、送信部２８が、エラーメッセージを、ビデオメールを送信してきた第１の携帯端末に送信し、処理を終了する。
【０１０８】
また、ステップＳ１１において、認証が成功したと判定された場合、認証部２１は、第１の携帯端末１からのビデオメールの宛先である第２の携帯端末７のメールアドレスを、そのビデオメールから認識し、ユーザ登録情報記憶部２２に供給して、ステップＳ１３に進む。ステップＳ１３では、ユーザ登録情報記憶部２２は、認証部２１からのメールアドレスに対応付けられているフォルダ特定情報と属性情報とを、記憶部２５とフォーマット変換部２４とにそれぞれ供給する。さらに、ステップＳ１３では、記憶部２５が、ユーザ登録情報記憶部２２からのフォルダ特定情報によってビデオメールの宛先である第２の携帯端末７のユーザのフォルダを特定し、ステップＳ１４に進む。
【０１０９】
ステップＳ１４において、受信部２３は、認証部２１からビデオメールを受信し、受信したビデオメールをフォーマット変換部２４に出力するとともに、アクセスキー生成命令をアクセスキー生成部２６に出力し、ステップＳ１５に進む。
【０１１０】
ステップＳ１５において、フォーマット変換部２６は、ユーザ登録情報記憶部２２から出力される属性情報に基づき、受信部２３からのビデオメール（の動画）をフォーマット変換し、フォーマット変換されたビデオメールを記憶部２５に出力するとともに、ビデオメールのテキスト部分だけを、通知メールとして送信部２８に出力して、ステップＳ１６に進む。
【０１１１】
ステップＳ１６において、アクセスキー生成部２６は、受信部２３から入力されたアクセスキー生成命令に基き、アクセスキーを生成し、生成したアクセスキーをアクセス権判定部２７に出力して記憶させるとともに、送信部２８に出力して、ステップＳ１７に進む。
【０１１２】
ステップＳ１７において、記憶部２５は、ステップＳ１３で特定されたフォルダに、フォーマット変換部２４から出力された、フォーマット変換されたビデオメールを格納して、ステップＳ１８に進む。
【０１１３】
ステップＳ１８において、送信部２８は、フォーマット変換部２４から出力された通知メールに、アクセスキー生成部２７から出力されたアクセスキーを含め、インターネット３、さらには、管理センタ５と基地局６で提供される狭帯域ではあるが、サービスエリアの広い携帯電話網を使用して、第２の携帯端末７に送信し、処理を終了する。
【０１１４】
図７は、図２のステップＳ３およびＳ４の処理に関連した処理（以下、適宜、後処理という）を行うファイルサーバ４の構成部分の構成例を示すブロック図である。なお、図７において、図３における場合と対応する部分ついては、同一の符号を付してあり、重複する説明は、適宜、省略する。
【０１１５】
上述したように、ファイルサーバ４から第２の携帯端末７に、狭帯域ではあるがサービスエリアの広い携帯電話網を介して、容量の小さい通知メールが送信される。第２の携帯端末７は、ファイルサーバ４から通知メールを受信し、この通知メールによって、第２の携帯端末７のユーザに、自身宛のビデオメールの存在が報知される。その後、ＷＬＡＮアクセスポイント８のセル内にいる第２の携帯端末７のユーザ、あるいはＷＬＡＮアクセスポイント８のセル内にいなかったが、その後ＷＬＡＮアクセスポイント８のセル内に移動した第２の携帯端末７のユーザが、ビデオメールを要求するように、第２の携帯端末７を操作すると、第２の携帯端末７は、そのビデオメールを要求する要求メッセージに、通知メールのアクセスキーと自身のメールアドレスを含めて、ＷＬＡＮアクセスポイント８によって提供される広帯域の無線通信回線およびインターネット３を介して、ファイルサーバ４に送信する。
【０１１６】
図７において、認証部２１は、以上のようにして第２の携帯端末７から送信されてくる要求メッセージを受信し、その要求メッセージに含まれている第２の携帯端末７のユーザのメールアドレスなどに基づいて、第２の携帯端末７のユーザがユーザ登録済みのユーザであるかどうかを認証する認証処理を行う。
【０１１７】
認証部２１は、第２の携帯端末７のユーザが、ユーザ登録済みのユーザとして認証された場合、第２の携帯端末７から送信されてきた要求メッセージに含まれるアクセスキーを受信部２３に出力する。一方、認証部２１は、認証が成功しなかった場合には、エラーメッセージを送信部２８に供給して、第２の携帯端末７に送信させる。
【０１１８】
受信部２３は、認証部２１から出力されるアクセスキーを受信し、アクセス権判定部２７に出力する。
【０１１９】
記憶部２５には、アクセス権判定部２７から出力される後述するビデオメール送信命令が入力され、記憶部２５は、入力されたビデオメール送信命令によって特定されるビデオメールを、フォルダから読み出し、送信部２８に出力する。なお、記憶部２５からは、ビデオメールを読み出す他、そのビデオメールに添付された動画像ファイルだけを読み出すようにすることも可能である。
【０１２０】
アクセス権判定部２７は、受信部２３から入力されたアクセスキーに基づいて、そのアクセスキーを送信してきた第２の携帯端末７のユーザが、記憶部２５に格納されているビデオメールにアクセスする権限を有するかどうかを判定し、その判定結果に対応して、ビデオメール送信命令を記憶部２５に出力し、または、エラーメッセージを送信部２８に出力する。
【０１２１】
即ち，アクセス権判定部２７は、図３で説明したように、アクセスキー生成部２６においてビデオメールのアクセスのために生成されたアクセスキーが保持されている。アクセス権判定部２７は、自身が保持しているアクセスキーの中に、第２の携帯端末７から受信したアクセスキーと同一のものがある場合に、ビデオメールへのアクセス権限があると判定する。この場合、アクセス権判定部２７は、第２の携帯端末７からのアクセスキーによって特定されるビデオメールを送信することを指令するビデオメール送信命令を、記憶部２５に出力する。
【０１２２】
一方、アクセス権判定部２７は、自身が保持しているアクセスキーの中に、第２の携帯端末７から受信したアクセスキーと同一のものがない場合、ビデオメールへのアクセス権限がないと判定する。この場合、アクセス権判定部２７は、エラーメッセージを、送信部２８に供給し、第２の携帯端末７に送信させる。
【０１２３】
送信部２８は、認証部２１からのエラーメッセージ、アクセス権判定部２７からのエラーメッセージ、および記憶部２５からのビデオメールを、インターネット３、およびＷＬＡＮアクセスポイント８によって提供されるサービスエリアは狭いが、広帯域の無線通信回線を介して、第２の携帯端末７に送信する。
【０１２４】
図８は、図７のファイルサーバ４の動作を説明するフローチャートである。
なお、図８の処理は、第２の携帯端末７が、例えば、ＷＬＡＮアクセスポイント８のセル内で、ファイルサーバ４に対して、ビデオメールの送信を要求をする要求メッセージを送信し、その要求メッセージが認証部２１で受信されると開始される。
【０１２５】
ステップＳ３１において、認証部２１は、要求メッセージを送信してきた第２の携帯端末７のユーザについて認証を行い、その認証が成功したか否かを判定する。ステップＳ３１において、認証が失敗したと判定された場合、ステップＳ３２に進み、認証部２１は、送信部２８を制御することにより、エラーメッセージを第２の携帯端末７に送信させ、処理を終了する。
【０１２６】
また、ステップＳ３１において、認証が成功したと判定された場合、ステップＳ３３に進む。
【０１２７】
ステップＳ３３において、受信部２３は、認証部２１から要求メッセージに含まれるアクセスキーを取得し、アクセス権判定部２７に出力して、ステップＳ３４に進む。
【０１２８】
ステップＳ３４において、アクセス権判定部２７は、そこに入力されるアクセスキーと、あらかじめ保持しているアクセスキーの中に、受信部２３からのアクセスキーと一致するものがあるかどうかによって、第２の携帯端末７のユーザがビデオメールへのアクセス権限があるかどうかを判定する。ステップＳ３４において、アクセス権限がないと判定された場合、ステップＳ３２に進み、上述したように、エラーメッセージが第２の携帯端末７に送信され、処理を終了する。
【０１２９】
また、ステップＳ３４において、アクセス権限があると判定された場合、ステップＳ３５に進む。
【０１３０】
ステップＳ３５において、アクセス権判定部２７は、受信部２３からのアクセスキーから、そのアクセスキーによって特定される第２の携帯端末７のユーザ宛のビデオメールを送信すること指令するビデオメール送信命令を生成し、記憶部２５に出力して、ステップＳ３６に進む。
【０１３１】
ステップＳ３６において、記憶部２５は、アクセス権判定部２７からのビデオメール送信命令に基き、第２の携帯端末７がアクセス権を所有するフォルダ４１から、ビデオメール送信命令によって指定されるビデオメールを読み出し、送信部２８に出力して、ステップＳ３７に進む。
【０１３２】
ステップＳ３７において、送信部２８は、記憶部２５からの大容量のビデオメールを、インターネット３、およびＷＬＡＮアクセスポイント８によって提供される広帯域の無線通信回線を介して、第２の携帯端末７に送信し、ステップＳ３８に進む。
【０１３３】
ステップＳ３８において、送信部２８は、第２の携帯端末７が、図４のフォルダ４１に格納されているビデオメールにアクセスしたという最新のアクセス情報を、図示せぬログに登録することで、そのログを更新し、処理を終了する。
【０１３４】
図９は、図１の第２の携帯端末７の構成例を示すブロック図である。
【０１３５】
第２の携帯端末７は、受信部６１、記憶部６２、ビデオメール要求命令生成部６３、送信部６４、および表示部６５から構成されている。
【０１３６】
受信部６１は、基地局６によって提供される狭帯域の通信回線（ここでは携帯電話網）を介して送信されてくるデータと、ＷＬＡＮアクセスポイント８によって提供される広帯域の通信回線を介して送信されてくるデータを受信する。即ち、受信部６１は、基地局６から第２の携帯端末７のユーザ宛の通知メールが送信されてくると、その通知メールを受信する。さらに、受信部６１は、その通知メールから、アクセスキーを取り出し、ビデオメール要求命令生成部６３に出力するとともに、通知メールを記憶部６２に出力する。
【０１３７】
さらに、受信部６１は、ＷＬＡＮアクセスポイント８からエラーメッセージが送信されてくると、そのエラーメッセージを受信し、表示部６５に供給する。また、受信部６１は、ＷＬＡＮアクセスポイント８からビデオメールが送信されてくると、そのビデオメールを受信し、記憶部６２に供給する。
【０１３８】
記憶部６２は、受信部６１から入力される通知メールやビデオメールを記憶する。
【０１３９】
ビデオメール要求命令生成部６３は、受信部６１から供給されるアクセスキーを受信し、そのアクセスキーを有する要求メッセージを生成して、送信部６４に出力する。
【０１４０】
送信部６４は、ビデオメール要求命令生成部６３から出力される要求メッセージを、ＷＬＡＮアクセスポイント８によって提供される広帯域の通信回線を介して、ファイルサーバ４に送信する。
【０１４１】
表示部６５は、ユーザの操作に応じて、記憶部６２に記憶されたビデオメールや通知メールを表示する。また、表示部６５は、受信部６１から供給されるエラーメッセージを表示する。
【０１４２】
図１０は、図９の第２の携帯端末７の動作を説明するフローチャートである。
【０１４３】
図１０の処理は、第２の携帯端末７がＷＬＡＮアクセスポイント８のセル内に存在しているときに、ファイルサーバ４から第２の携帯端末７のユーザ宛の通知メールが送信されてくると開始される。
【０１４４】
ステップＳ５１において、受信部６１は、基地局６が提供する狭帯域の通信回線を介して、ファイルサーバ４から送信されてきた通知メールを受信し、記憶部６２に出力して記憶させる。さらに、ステップＳ５１では、受信部６１は、通知メールに含まれるアクセスキーを、ビデオメール要求命令生成部６３に出力する。
【０１４５】
その後、第２の携帯端末７のユーザが、第２の携帯端末７を操作して、記憶部６２に記憶された通知メールを表示部６５に表示させ、これにより、自身宛のビデオメールの存在を知って、そのビデオメールを要求するように、第２の携帯端末７を操作すると、ステップＳ５１からＳ５２に進む。
【０１４６】
ステップＳ５２において、ビデオメール要求命令生成部６３は、受信部６１からのアクセスキーを含む要求メッセージを生成し、送信部６４に出力して、ステップＳ５３に進む。
【０１４７】
ステップＳ５３において、送信部６４は、ビデオメール要求命令生成部６３からの要求メッセージを、ＷＬＡＮアクセスポイント８が提供する広帯域の通信回線を介して、ファイルサーバ４に送信し、ステップＳ５４に進む。
【０１４８】
ステップＳ５４において、受信部６１は、ファイルサーバ４からエラーメッセージが送信されてきたか否かを判定する。ステップＳ５４において、エラーメッセージが送信されてきたと判定された場合、即ち、ステップＳ５３でファイルサーバ４に送信した要求メッセージに含まれるアクセスキーによって、ビデオメールへのアクセスが許可されずにエラーメッセージが送信されてきた場合、ステップＳ５５に進み、受信部６１は、そのエラーメッセージを受信し、表示部６５に供給して表示させ、処理を終了する。
【０１４９】
一方、ステップＳ５４において、ファイルサーバ４からエラーメッセージが送信されてきていないと判定された場合、即ち、ステップＳ５３でファイルサーバ４に送信した要求メッセージに含まれるアクセスキーによって、ビデオメールへのアクセスが許可され、そのアクセスキーによって特定される第２の携帯端末７のユーザ宛のビデオメールが、ＷＬＡＮアクセスポイント８が提供する広帯域の通信回線を介して、ファイルサーバ４から送信されてきた場合、ステップＳ５６に進み、受信部６１は、そのビデオメールを受信（ダウンロード）し、記憶部６２に出力して記憶させ、処理を終了する。記憶部６２に記憶されたビデオメールは表示部６５に供給して表示させることができる。
【０１５０】
以上のように、ファイルサーバ４において、第１の携帯端末１から送信されてきた第２の携帯端末７のユーザ宛の、大容量の動画が添付されたビデオメールの存在を通知する小容量の通知メールを、基地局６が提供する狭帯域ではあるがサービスエリアの広い通信回線を介して、第２の携帯端末７に送信するようにしたので、第２の携帯端末７のユーザは、即座に、自身宛のビデオメールの存在を知ることができる。また、通知メールは小容量なので、狭帯域の通信回線であっても、低コストで送受信することができる。
【０１５１】
また、第２の携帯端末７において、通知メールに含まれるアクセスキーを有する要求メッセージによって、ファイルサーバ４に、ビデオメールを要求し、ファイルサーバ４において、その要求メッセージに含まれるアクセスキーによって特定される、第２の携帯端末７のユーザ宛のビデオメールを、ＷＬＡＮアクセスポイント８が提供するサービスエリアは狭いが広帯域の通信回線を介して、第２の携帯端末７に送信するようにしたので、第２の携帯端末７のユーザは、低コストかつ高品質（例えば、ＭＰＥＧ（Ｍｏｖｉｎｇ  Ｐｉｃｔｕｒｅ  Ｅｘｐｅｒｔｓ  Ｇｒｏｕｐ）２やＤＶ（Ｄｉｇｉｔａｌ  Ｖｉｄｅｏ）程度の画質）のビデオメールを受信することができる。
【０１５２】
さらに、ファイルサーバ４では、ビデオメール（に添付された動画）のフォーマットを、その宛先である第２の携帯端末７で扱うことのできるフォーマットに変換するので、第１の携帯端末７のユーザは、第２の携帯端末７が有する動画再生用のソフトウェアで扱うことができるフォーマットを気にすることなく、即ち、任意のフォーマットのビデオメールを送信することができる。ここで、フォーマット変換には、形式（例えば、ＭＰＥＧ形式やＡＶＩ形式）の変換の他、画像サイズの変換も含まれる。
【０１５３】
なお、本実施の形態では、広帯域の通信回線として、ＷＬＡＮアクセスポイント８が提供する無線通信回線を採用するとともに、狭帯域の通信回線として、基地局６が提供する無線通信回線を採用することとしたが、広帯域または狭帯域の通信回線としては、その他、有線の通信回線を採用することが可能である。
【０１５４】
広帯域の有線の通信回線としては、例えば、図１のＰＣ１０が接続されているＡＤＳＬやＣＡＴＶ網などがある。また、狭帯域の有線の通信回線としては、例えば、アナログ電話回線や、ＩＳＤＮなどがある。
【０１５５】
また、本実施の形態では、第１の携帯端末１をビデオメールの送信元とするとともに、第２の携帯端末７をビデオメールの宛先としたが、ビデオメールの送信元または宛先は、その他、例えば、ＰＣ１０とすることも可能である。
【０１５６】
さらに、本実施の形態では、第２の携帯端末７において、通知メールを受信し、その通知メールに基づいて、ビデオメールを受信するようにしたが、第２の携帯端末７で受信した通知メールは、例えば、ＰＣ１０に転送することができ、ＰＣ１０において、その通知メールに基づき、ＡＤＳＬなどの広帯域の通信回線を介して、ビデオメールを受信するようにすることが可能である。
【０１５７】
さらに、本実施の形態では、大容量のデータとして、動画を採用したが、大容量のデータとしては、その他、例えば、オーディオデータや、プログラムなどを採用することが可能である。
【０１５８】
上述した一連の処理は、ハードウェアにより実行させることもできるが、ソフトウェアにより実行させることもできる。
【０１５９】
上述した一連の処理をソフトウェアで実行させる場合、ファイルサーバ４や第２の携帯端末７は、例えば、図１１に示されるようなコンピュータなどとして構成することが可能である。
【０１６０】
図１１において、ＣＰＵ（Ｃｅｎｔｒａｌ  Ｐｒｏｃｅｓｓｉｎｇ  Ｕｎｉｔ）７１は、ＲＯＭ（Ｒｅａｄ  Ｏｎｌｙ  Ｍｅｍｏｒｙ）７２に記憶されているプログラム、または記憶部７８からＲＡＭ（Ｒａｎｄｏｍ  Ａｃｃｅｓｓ  Ｍｅｍｏｒｙ）７３にロードされたプログラムに従って各種の処理を実行する。
【０１６１】
ＲＡＭ７３にはまた、ＣＰＵ７１が各種の処理を実行する上において必要なデータなども適宜記憶される。
【０１６２】
ＣＰＵ７１、ＲＯＭ７２、およびＲＡＭ７３は、バス７４を介して相互に接続されている。このバス７４にはまた、入出力インタフェース７５も接続されている。
【０１６３】
入出力インタフェース７５には、キーボード、マウスなどよりなる入力部７６、ディスプレイなどよりなる出力部７７、ハードディスクなどより構成される記憶部７８、および通信部７９が接続されている。
【０１６４】
入出力インタフェース７５にはまた、必要に応じてドライブ８０が接続され、磁気ディスク８１、光ディスク８２、光磁気ディスク８３、或いは半導体メモリ８４が適宜装着され、それらから読み出されたコンピュータプログラムが、必要に応じて記憶部７８にインストールされる。
【０１６５】
一連の処理をソフトウェアにより実行させる場合には、そのソフトウェアを構成するプログラムが、専用のハードウェアに組み込まれているコンピュータ、または、各種のプログラムをインストールすることで各種の機能を実行することが可能な、例えば汎用のパーソナルコンピュータなどに、プログラム格納媒体からインストールされる。
【０１６６】
コンピュータにインストールされ、コンピュータによって実行可能な状態とされるプログラムを格納するプログラム格納媒体は、図１１に示すように、磁気ディスク８１（フロッピディスクを含む）、光ディスク８２（ＣＤ−ＲＯＭ（Ｃｏｍｐａｃｔ  Ｄｉｓｋ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）を含む）、光磁気ディスク８３（ＭＤ（Ｍｉｎｉ−Ｄｉｓｋ）（登録商標）を含む）、もしくは半導体メモリ８４などよりなるパッケージメディア、または、プログラムが一時的もしくは永続的に格納されるＲＯＭ７２や、記憶部７８を構成するハードディスクなどにより構成される。プログラム格納媒体へのプログラムの格納は、必要に応じてルータ、モデムなどのインタフェースを介して、ローカルエリアネットワーク、インターネット、デジタル衛星放送といった、有線または無線の通信媒体を利用して行われる。
【０１６７】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１６８】
また、本明細書において、システムとは、複数の装置により構成される装置全体を表すものである。
【０１６９】
【発明の効果】
以上のように、本発明によれば、ユーザに、大容量のデータの存在を、即座に知らせるとともに、その大容量のデータを低コストで提供することが可能となる。
【図面の簡単な説明】
【図１】本発明を適用した情報処理システムの一実施の形態の構成例を示す図である。
【図２】情報処理システムの処理の概要を説明するフローチャートである。
【図３】ファイルサーバ４の一部の構成例を示すブロック図である。
【図４】記憶部２５の論理的な構成例を示す図である。
【図５】記憶部２５を構成するフォルダの記憶内容を示す図である。
【図６】ファイルサーバ４による前段処理を説明するフローチャートである。
【図７】ファイルサーバ４の他の一部の構成例を示すブロック図である。
【図８】ファイルサーバ４による後段処理を説明するフローチャートである。
【図９】第２の携帯端末７の構成例を示すブロック図である。
【図１０】第２の携帯端末７の動作を説明するフローチャートである。
【図１１】本発明を適用した情報処理システムを実現するコンピュータのハードウェア構成例を示すブロック図である。
【符号の説明】
１  第１の携帯端末，  ２  ＷＬＡＮアクセスポイント，  ３  インターネット，  ４  ファイルサーバ，  ５  管理センタ，  ６  基地局，  ７  第２の携帯端末，  ８  ＷＬＡＮアクセスポイント，  ９  ビデオカメラ，  １０  ＰＣ，  １１  表示部，  ２１  認証部，  ２２  ユーザ登録情報記憶部，  ２３  受信部，  ２４  フォーマット変換部，  ２５  記憶部，  ２６  アクセスキー生成部，  ２７  アクセス権判定部，  ２８  送信部，  ４１  フォルダ，  ５１  動画像ファイル格納領域，  ５２  メール本文格納領域，  ６１  受信部，６２  記憶部，  ６３  ビデオメール要求命令生成部，  ６４  送信部、  ６５  表示部，  ７１  ＣＰＵ，  ７２  ＲＯＭ，  ７３  ＲＡＭ，  ７４  バス，  ７５  入出力インターフェース，  ７６  入力部，  ７７  出力部，  ７８記憶部，  ７９  通信部，  ８０  ドライブ，  ８１  磁器ディスク，  ８２光ディスク，  ８３  光磁器ディスク，  ８４  半導体メモリ
【図１】
2004357095.tif 000003
【図２】
2004357095.tif 000004
【図３】
2004357095.tif 000005
【図４】
2004357095.tif 000006
【図５】
2004357095.tif 000007
【図６】
2004357095.tif 000008
【図７】
2004357095.tif 000009
【図８】
2004357095.tif 000010
【図９】
2004357095.tif 000011
【図１０】
2004357095.tif 000012
【図１１】
2004357095.tif 000013